(57)【要約】      （修正有）【課題】前向きで昇り降りできる両側手摺りあるいは片側手摺りとしても使用でき、ガタつきなく安定して床面に設置できる突っ張り棒を備えた介護用手摺りを提供する。【解決手段】手摺り部と支柱部と基盤とからなり、基盤の両側に支柱部が立設され、支柱部の上部に手摺り部を備え、基盤と支柱および手摺りを着脱可能にして両側手摺りあるいは片側手摺りとして使用でき、かつ手摺りステーと支柱との間および／または支柱とステーとの間で上下に高さ調整できるようにするとともに、基盤に移動防止手段として着脱可能で長さ調整が可能な突っ張り棒を取り付けることにより安定的に固定できる突っ張り棒を備えた介護用手摺りを提供する。【選択図】図５
2011214714.tif 000002
【特許請求の範囲】
【請求項１】
少なくとも棒状体とアジャスター部材とからなり、該棒状体の端にアジャスター部材を装着するための台座を具備し、該棒状体の軸線方向に対する圧縮力が加わった際、一定方向に撓む性質を有することを特徴とする突っ張り棒。
【請求項２】
前記棒状体の断面がＬ字形状又はＣ字形状であることを特徴とする請求項１に記載の突っ張り棒。
【請求項３】
前記棒状体が、棒状本体と延長部材とからなり、棒状体の軸線方向における長さを調節することが可能なことを特徴とする請求項１又は２に記載の突っ張り棒。
【請求項４】
前記延長部材が、第一延長部材と第二延長部材とからなり、棒状体の軸線方向における長さを調節することが可能なことを特徴とする請求項３に記載の突っ張り棒。
【請求項５】
前記第一延長部材と前記第二延長部材は、どちらか一方が短く、他方が長いことを特徴とする請求項４に記載の突っ張り棒。
【請求項６】
前記台座と前記アジャスター部材とが螺合していることを特徴とする請求項１乃至５に記載の突っ張り棒。
【請求項７】
手すり部と支柱部と基盤とからなる介護用手摺りであって、該基盤の一辺に突っ張り棒を取り付けるための取付部を形成し、該取付部に前記請求項１〜６記載の突っ張り棒を備えたことを特徴とする手摺り。
【発明の詳細な説明】
【発明の詳細な説明】
【技術分野】
【０００１】本発明は、建物内の側壁と側壁との間で横方向に配置して使用したり、床面と天井との間で縦方向に配置して使用することが可能な突っ張り棒とそれを備えた手摺りに関し、例えば、高齢者や身体障害者が建物内の玄関等、段差のある場所での昇り降りに適した介護用手摺りの固定をするのに好適な突っ張り棒に関する。
【背景技術】
【０００２】特許文献１（特公平２−３６２７９号公報）に記載されたものは、外管に内管が摺動自在に挿入され中に突き出し用バネを具備した一般に物干しなどに適する張架用伸縮ポールで円筒状のものである。【０００３】また、特許文献２（特開２００３−１６９７２４号公報）に記載されたものは、室内の床面と天井面との間に縦方向に配置したり、押し入れ内等に横方向に配置することで、所謂突っ張り状態で固定する伸縮棒と、その長さ調節方法に関し、大径パイプと小径パイプとからなり、大径パイプの内に小径パイプが挿入され、大径パイプの一端に長さ調整手段が設けられている。【０００４】そして、特許文献３（特開２００９−１５５９５１号公報）に記載されたものは、段差昇降用手摺りにおいて、壁Ｗに突っ張り支持するために親筒部材と子筒部材からなる突っ張りアームを設け横倒れを防止している。
【特許文献１】特公平２−３６２７９号公報
【特許文献２】特開２００３−１６９７２４号公報
【特許文献３】特開２００９−１５５９５１号公報
【発明が解決しようとする課題】
【０００５】  前記特許文献１〜３に記載されたものは、いずれのものも円筒状のパイプが使用されている。このようなパイプ状の突っ張り棒は、より強固に固定しようとして強く締め付けていくと撓みが生じる。円筒状のパイプの場合はその撓む方向が定まらず強固に固定することができない。角筒状パイプの場合は四角形の対角線の方向には撓まないものの辺の４方向には撓み上下前後に撓みがみられる。撓みを防止するには強い材質を選択するか肉厚を厚くして強度をアップすることが考えられるが、コストアップ、製品重量が重くなるなどの不具合が生じる。
【課題を解決するための手段】
【０００６】本発明は、従来の上記課題を解決する手段として、請求項１に記載の本発明は、少なくとも棒状体とアジャスター部材とからなり、該棒状体の端にアジャスター部材を装着するための台座を具備し、該棒状体の軸線方向に対する圧縮力が加わった際、一定方向に撓む性質を有することを特徴とする突っ張り棒である。
【０００７】請求項２に記載の本発明は、前記棒状体の断面がＬ字形状又はＣ字形状であることを特徴とする請求項１に記載の突っ張り棒である。
【０００８】請求項３に記載の本発明は、前記棒状体が、棒状本体と延長部材とからなり、棒状体の軸線方向における長さを調節することが可能なことを特徴とする請求項１又は２に記載の突っ張り棒である。
【０００９】請求項４に記載の本発明は、前記延長部材が、第一延長部材と第二延長部材とからなり、棒状体の軸線方向における長さを調節することが可能なことを特徴とする請求項３に記載の突っ張り棒である。
【００１０】請求項５に記載の本発明は、前記第一延長部材と前記第二延長部材は、どちらか一方が短く、他方が長いことを特徴とする請求項４に記載の突っ張り棒である。
【００１１】請求項６に記載の本発明は、前記台座と前記アジャスター部材とが螺合していることを特徴とする請求項１乃至５に記載の突っ張り棒である。
【００１２】請求項７に記載の本発明は、手すり部と支柱部と基盤とからなる介護用手摺りであって、該基盤の一辺に突っ張り棒を取り付けるための取付部を形成し、該取付部に前記請求項１〜６記載の突っ張り棒を備えたことを特徴とする手摺りである。
【００１３】請求項１および２記載の発明によれば、棒状体の軸線方向に対する圧縮力が加わった際、一定方向に撓む性質を有するから、強い締め付け力（アジャスターを壁面に強く押しつけることにより反力で棒状体の軸線方向に強い圧縮力がかかる）で棒状体が撓んだとしても一方向に撓むから撓む方向に壁面（前面壁）があれば撓みが壁面（前面壁）により抑制され、その反力がアジャスターを介して壁面（側面壁）への押圧力となり、しっかりと固定することができる。
【００１４】請求項３および４記載の発明によれば、例えば玄関の間口の広さ（幅方向の長さ）に合わせて延長部材の長さを任意に設定することができ、延長部材の長さを選択することができる。又、延長部材を棒状本体と間欠的に軸線方向に移動させ、ボルトなどで固定して長さを調節することができる。あるいは棒状本体に延長部材をスライドさせることによって軸線方向の長さを調節することもできる。
【００１５】請求項５記載の発明によれば、短い延長部材を棒状本体の左側に装着し、長い延長部材を棒状本体の右側に装着して基板に取り付けると、手摺りを左側の壁に沿って設置することができる。逆に、短い延長部材を棒状本体の右側に装着し、長い延長部材を棒状本体の左側に装着して基板に取り付けると、手摺りを右側の壁に沿って設置することができる。
【００１６】請求項６記載の発明によれば、台座とアジャスターが螺合しているので壁面との距離の微調整ができ、アジャスターを回動させて押圧体を壁面に押し付けることができる
【００１７】請求項７記載の発明によれば、手すり部と支柱部と基盤とからなる介護用手摺りであって、該基盤の一辺（任意の位置）に突っ張り棒を取り付けるための取付部（棒状本体を受ける台座）が形成されており、該取付部に突っ張り棒を装着して組み立てた手摺りを玄関の上り框近傍に載置して上り框下部の前面壁に当接し、延長部材を玄関の側壁幅にあわせて伸ばし、その後アジャスターを回動させて側壁面を押圧するように締め付けていく。そうすると、壁への押圧力となりその反力で棒状体の軸線方向に圧縮力が加わる。強く締め付けていくと（アジャスターを壁面に強く押しつける）棒状体の軸線方向に強い圧縮力がかかり棒状体に撓みが生じる。棒状体が撓んだ場合一定方向に撓む性質を有するから、撓む方向に壁面（上り框下部の前面壁あるいは床面）があれば湾曲した棒状体（延長部材）が壁面に当接して壁面を押圧し、撓みが壁面により抑制される。また、アジャスターで両側面の壁を押圧しているから、基盤即ち手摺りがガタつかずにしっかりと固定される。
したがって、ビスや止めネジなどを用いずに固定することができ、設置および使用後の取り外しが容易にでき、レンタルに適している。また、取り除いた後にビス穴などの跡が残らず、玄関の美観を損ねることもない。
【発明の効果】
【００１８】本発明では、棒状体が撓んだ場合一定方向に撓む性質を有するから、強く締め付けることができ脱落などを防止できる。また、使用目的に沿って使用場所を選定することで安定した固定ができ、ガタつきを防止できる。さらに手摺りが前後左右に移動や揺動することがなくなり、介護用手摺りの設置に好適である。
【発明を実施するための最良の形態】
【００１９】以下、本発明の実施形態を図面に基づき説明する。図１は本発明に係る実施例１の１軸突っ張り棒の斜視図、図２、図３は本発明に係る実施例２の２軸突っ張り棒の斜視図、図４図５は本発明に係る３軸突っ張り棒の斜視図である。図５は突っ張り棒の展開図、図６は３壁と壁の間に設置した使用状態を示す正面図、図７は突っ張り棒を備えた介護用手摺りの斜視図である。【００２０】本発明に係る突っ張り棒４は、図１に示す実施例１の１軸突っ張り棒が棒状体４０とアジャスター部材５０とからなり、棒状体４０の端部にアジャスター部材５０を装着するための台座６０が形成されている。アジャスター部材５０は押圧体５２と外周面が雄ネジであるボルト体５１からなり、ボルト体５１の端に押圧体５２が回動自在に取り付けられている。そして台座６０に形成されている内周面に雌ネジを有するネジ穴６１とボルト体５１とが螺合している。棒状体４０は、断面がＬ字形状であり、そのため棒状体の軸線方向に対する圧縮力が加わった際、一定方向（図１１に示す矢印Ｚ方向）に撓む性質を有する。また、棒状体４０は断面がＣ字形状であってもよく、軸線方向に対する圧縮力が加わった際、一定方向（図１１に示す矢印Ｙ方向）に撓む性質を有する。【００２１】図２に示す実施例２の２軸突っ張り棒は、棒状本体４０と延長部材４１０とアジャスター部材５０とからなり、棒状本体４０の一端および延長部材４１０の一端にアジャスター部材５０を装着するための台座６０が形成されている。アジャスター部材５０は押圧体５２と外周面が雄ネジであるボルト体５１からなり、ボルト体５１の端に押圧体５２が回動自在に取り付けられている。そして台座６０に形成されている内周面に雌ネジを有するネジ穴６１とボルト体５１とが螺合している。
棒状本体４０と延長部材４１０は、断面がＬ字形状であり、そのため棒状本体４０の軸線方向に対する圧縮力が加わった際、一定方向（図１１に示す矢印Ｘ方向）に撓む性質を有する。
なお、延長部材４１０は断面がＣ字形状であってもよく、軸線方向に対する圧縮力が加わった際、一定方向（図１１に示す矢印Ｚ方向）に撓む性質を有する。【００２２】図４は突っ張り棒の斜視図、図５は突っ張り棒の展開図である。実施例３の３軸突っ張り棒は、棒状本体４０と延長部材４２０とアジャスター部材５０とからなり、延長部材４２０は第一の延長部材４２１（短い延長部材又は長い延長部材）と第２の延長部材４２２（長い延長部材又は短い延長部材）とからなり、棒状本体４０の一端および延長部材４２０の一端にアジャスター部材５０を装着するための台座６０が形成されている。棒状本体４０は鉄製のＣ字形状のチャンネル部材で両側にそれぞれ２個の穴が設けられ、一端側には棒状本体より一回り小さく短い延長部材４２２が装着され、他端側には長い延長部材４２２が装着されている。
短い延長部材４２１及び長い延長部材４２２の面にはネジ穴が間欠的に複数個設けられ、玄関幅に合わせて長さを調整して組み付けネジで固定することができる。
アジャスター部材５０は押圧体５２と外周面が雄ネジであるボルト体５１からなり、ボルト体５１の端に押圧体５２が回動自在に取り付けられている。そして台座６０の内周面に雌ネジを有するネジ穴６１が形成され、ボルト体５１と螺合している。押圧体５２はゴム、エラストマー、プラスチックなどの弾性を有する材料である。【００２３】棒状本体４０は、断面がＣ字形状であり、そのため棒状本体４０の軸線方向に対する圧縮力が加わった際、一定方向（図１１に示す矢印Ｙ方向）に撓む性質を有する。また、延長部材４２０は断面がＬ字形状であり、軸線方向に対する圧縮力が加わった際、一定方向（図１１に示す矢印Ｘ方向）に撓む性質を有する。
図６に示すように、突っ張り棒４は、玄関の幅あるいは壁の幅に合わせて短い延長部材４２１と長い延長部材４２２とを調節して組み付けネジで棒状本体４０に取り付ける。次にアジャスター部材５０を回動させて押圧体５２を壁に当接し、さらに回動させ強く押圧体を壁面に押し当てていく。そして回り止めナットにより固定を行う。そのとき、Ｌ字形状の延長部材は軸線方向に強い圧縮力を受け、図１１に示す矢印Ｘ方向に撓む性質を有するから、図１１に示す矢印Ｚ方向に湾曲して上り框の下部壁面を押圧するように作用する。【００２４】図７は、突っ張り棒を備えた手摺りの斜視図であり、使用状態を示す図である。図７に示すように、棒状本体４０は基盤１（ベース板１０）に直接溶接されて固定されているが、棒状本体４０はベース板１０にネジ止めしてもよい。【００２５】図７は、手摺り部と支柱部の展開図である。支柱部２は、支柱２１とステー２２とからなり、基盤１の両側に一対立設される。支柱２１は鉄製の角パイプで縦支柱２１ａ横支柱２１ｂが溶接され連結して一体化している。ステー２２は縦支柱２１ａより一回り小さいサイズの鉄製角パイプでネジ止め穴２２１が複数個間欠的に設けられている。そして、ステー２２の一端はベース板１０に立設された筒状体１１に挿入して嵌合され、筒状体１１に形成されたネジ穴１１１を介してステー２２に形成されたネジ止め穴２２１に止めネジで固定されている。他方、ステー２２の他端は縦支柱２１ａに挿入して嵌合され、縦支柱２１ａに形成されたネジ穴２１１を介してステー２２に形成されたネジ止め穴２２１に止めネジ５で固定され、高さ設定がおこなわれる。
また、支柱２１の上部でも手摺りステー３２との間で上記と同様に高さ調整を行い手摺り部３と連結する。
上り框側の縦支柱２１ａの下部には、一端に樹脂脚を設けたボルト体の枝支柱２３が形成され、縦支柱２１ａの下部に螺合して挿入されている、枝支柱２３は回転させて伸縮させることにより高さ調節されて上り框近傍の床面に当接される。【００２６】手摺り部３は、手摺り本体３１と手摺りステー３２からなり、手摺り本体３１は両端に水平な把持部３１ａとその水平な把持部の一方から他方の水平な把持部に向けて曲率半径が漸増または漸減して湾曲する把持部３１ｂを有している。水平な把持部の先は下方に折曲している。通常の傾斜した把持部はどこを握っても同じ傾斜角であるが、湾曲した把持部３１ｂは握る個所により傾斜角が異なるので使用者個人の握り易いところを選択することができ、昇り降りする際にスムースな移動が可能となり片マヒなどで困っている人に適する。【００２７】手摺りステー３２はステー２２と同様に縦支柱２１ａより一回り小さいサイズの鉄製角パイプでネジ止め穴２２１が複数個間欠的に設けられ、一端に鉄製の平板が溶接で一体化されている。そしてビスなどで手摺り本体の裏面に固定され、手摺り本体と一体となっている。他方、手摺りステー３２の他端は縦支柱２１ａに挿入して嵌合され、縦支柱２１ａに形成されたネジ穴２１２を介して手摺りステー３２に形成されたネジ止め穴３２１に止めネジで固定され、高さ設定がおこなわれる。したがって、前記と同様に手摺り部と支柱部との間で高さ調整を行うことができる。手摺り本体は木製であるが、断面楕円形状の鉄、アルミなど金属製のパイプ状のものにプラスチック製、エラストマー製チューブを被覆したものであってもよい。【００２８】次に、図１０に示す片側タイプとして使用する場合について説明する。例えば、図７に示す両側タイプから左用タイプとして使用するときは基盤１右側の筒状体１１とステー２２とを固定している止めネジ７を緩めて筒状体１１からステー２２を離脱させることにより手摺り部３と支柱部２を一体的に基板１から取り外す。取り外した後の筒状体１１にはカバー８を取り付けてもよい。また図１０に示す左側タイプから右用タイプにするときは、前記と同様に手すり部３と支柱部２を取り外し、反対側の筒状体１１に挿入して止めねじで固定する。また、支柱を上下に大きく伸ばすと基盤１と支柱部２との間で約１２ｃｍ、支柱部２と手摺り部３との間で約１２ｃｍの高さ調整ができる【００２９】上記説明のように、本発明は上記実施例に限定されるものではなく、上記の実施例では鉄製角パイプであるがアルミ製でもよく、また丸パイプであってもよい。
上記実施例では基盤に着脱可能で長さ調整が可能な突っ張り棒として棒状体に間欠的に穴のあいた棒体を組み付けネジで取り付けることを説明したが、棒状本体と延長部材をスライドさせて長さを調整できるようにして伸縮自在にしてもよい。【００３０】本発明の突っ張り棒を備えた介護用手摺りは、玄関の上り框用手摺りとして適しているが、段差のある場所、例えば階段付近、縁側から庭先に降りるところなどにも使用することができる。【００３１】上述のように本発明は、高齢者、身体障害者、片マヒの方、足の弱い方など幅広く使用していただける介護用手摺りを提供するものである。特にレンタルに適した特徴をもつものである。
【図面の簡単な説明】
【００３２】
【図１】  １軸突っ張り棒の斜視図
【図２】  ２軸突っ張り棒の斜視図
【図３】  ２軸突っ張り棒の展開図
【図４】  ３軸突っ張り棒の斜視図
【図５】  ３軸突っ張り棒の展開図
【図６】  ３軸突っ張り棒の取り付け状態を示す正面図
【図７】  ３軸突っ張り棒の使用状態を示す斜視図
【図８】  突っ張り棒の取り付け状態を示す断面図
【図９】  介護用手摺りの側面視による展開図
【図１０】  片側タイプ介護用手摺りの使用状態を示す斜視図
【図１１】  突っ張り棒の取り付け状態を示す断面図
【符号の説明】
【００３２】１        基盤
１０      ベース板
１１      筒状体
２        支柱部
２１      支柱
２１ａ    縦支柱
２１ｂ    横支柱
２２      ステー
３        手摺り部
３１      手摺り本体
３２      手摺りステー
４        突っ張り棒
４０      棒状本体
４１０    延長部材
４２１    短い延長部材Ａ
４２２    長い延長部材Ｂ
５０      アジャスター
５１      ボルト体
５２      押圧体
６０      台座
６１      ネジ穴
７        止めネジ
８        カバー
１１１、２１１、２１２  ネジ穴
２２１、３２１    ネジ止め穴
【図１】
2011214714.tif 000003
【図２】
2011214714.tif 000004
【図３】
2011214714.tif 000005
【図４】
2011214714.tif 000006
【図５】
2011214714.tif 000007
【図６】
2011214714.tif 000008
【図７】
2011214714.tif 000009
【図８】
2011214714.tif 000010
【図９】
2011214714.tif 000011
【図１０】
2011214714.tif 000012
【図１１】
2011214714.tif 000013